(57)【要約】      （修正有）【課題】防鳥具取付装置として、基本部品を複数種の防鳥手段に共用でき、部品共通化による部材製造コストの低減と施工操作の容易化、施工に要する時間及び労力とコストの低減を可能にするものを提供する。【解決手段】取付基体Ｍに接着又はねじ止めする略板状の硬質合成樹脂成型物からなる取付チップ１に、鳥留まり防止ピンを起立状態に保持させるピン挿通孔と、防鳥ネット３の掛止フック具４を係着させる差込みゲート１２とが一体形成されてなる。【選択図】図９
2008067620.tif 000002
【特許請求の範囲】
【請求項１】
取付基体に接着又はねじ止めする略板状の硬質合成樹脂成型物からなる取付チップに、鳥留まり防止ピンを起立状態に保持させるピン保持部と、防鳥ネットの掛止フック具を係着させるフック係着部とが一体形成されてなる防鳥具取付装置。
【請求項２】
前記取付チップの複数個が平面的にジグザグ状に連結一体化すると共に、各連結部分が断裂用薄肉部をなす請求項１記載の防鳥具取付装置。
【請求項３】
前記取付チップが平面視で方形をなし、隣接する取付チップ同士が全幅の４０〜６０％で連結してなる請求項２記載の防鳥具取付装置。
【請求項４】
前記の鳥留まり防止ピンが略Ｖ字形に折曲した金属線材からなり、前記ピン保持部が該金属線材の二股になった両ピン部を下面側から挿通させて略Ｖ字形の起立状態に保持する一対のピン挿通孔にて構成されてなる請求項１〜３の何れかに記載の防鳥具取付装置。
【請求項５】
前記掛止フック具が一端側に掛止爪を設けた略Ｕ字形の弾性材からなり、前記フック係着部が該掛止フック具の差込みゲートを形成しており、掛止フック具のＵ字形の曲がり部に防鳥ネットの線部を通し、該掛止フック具の両側片を強制的に近接させた状態で、前記差込みゲートに当該掛止フック具を両先端側から差し込み、その掛止爪を差込みゲートの出口側縁部に掛止するように構成されてなる請求項１〜４の何れかに記載の防鳥具取付装置。
【請求項６】
前記取付チップに、表裏方向に貫通する複数の貫通穴が設けられてなる請求項１〜５の何れかに記載の防鳥具取付装置。
【請求項７】
前記取付チップの裏面の少なくとも一部に両面接着テープが貼着されてなる請求項１〜６の何れかに記載の防鳥具取付装置。
【請求項８】
前記取付チップに、電撃配線用の碍子部材を保持させる碍子保持部が一体形成されてなる請求項１〜７の何れかに記載の防鳥具取付装置。
【請求項９】
前記碍子部材が複数本の電撃線に対応する電撃線挿通孔を備えた硬質合成樹脂成型物からなり、前記取付チップの碍子保持部が該碍子部材の両側面部に対して摺動可能に凹凸係合する両側一対のスライド嵌合部にて構成される請求項７記載の防鳥具取付装置。
【請求項１０】
前記碍子部材が、平面視で長細い形状を備え、その長手方向とこれに直交する方向との二方向に沿う各複数本の電撃線に対応した電撃線挿通孔を備える請求項９記載の防鳥具取付装置。
【発明の詳細な説明】
【技術分野】
【０００１】
本発明は、ハトやカラスを始めとする鳥類による糞害や営巣を防止するための防鳥具の取付装置に関する。
【背景技術】
【０００２】
近年、市街地での鳥類による被害が多発しており、特に高架橋下、看板や広告塔、電柱、建物のベランダや屋上、ビルの窓枠部、屋根付き駐車場、工場や倉庫、神社や仏閣等では、飛来したハトやカラス等が巣作りしたり、糞を撒き散らして周辺を汚すことが大きな社会問題になっている。
【０００３】
そこで、防鳥対策として、従来より、鳥が留まり易い部位や営巣し易い部位にピンを剣山状に設置する方法（特許文献１〜４）、建物やベランダ等の開口部に侵入防止用のネットやワイヤーを張り巡らす方法（特許文献５〜８）、鳥が留まり易い部位に沿って電撃用の通電線を配線する方法等が一般的に採用されている。
【特許文献１】特開平８−１７３００６号公報
【特許文献２】特開平１１−２８９６４４号公報
【特許文献３】特開２００１−３５２８９２号公報
【特許文献４】特開２００６−７５０３６号公報
【特許文献５】特開２００１−１６４６７３号公報
【特許文献６】特開２００２−１８６４０４号公報
【特許文献７】特開２００３−１１６４４５号公報
【特許文献８】特開２００６−３７６５０号公報
【発明の開示】
【発明が解決しようとする課題】
【０００４】
しかしながら、前記従来の防鳥対策では、剣山状のピンの設置、ネットやワイヤーの張設、更には電撃用通電線の配線と、各防鳥手段の防鳥具に専用の取付装置を用いることになるから、各々の部材コストが高く付くと共に、これら複数種の防鳥手段について施工操作を習熟するにも時間と労力を要する。しかも、実際に防鳥対策を講じる現場では、対象構造物の形態や周辺状況により、複数種の防鳥手段を併用する必要があったり、想定していた防鳥手段の変更を余儀なくされることも多々あるため、予め複数種の防鳥手段に対応した準備をしておくのが望ましいが、それだけ装置器材の取扱い点数が多くなって手間を増やすことになる。
【０００５】
本発明は、上述の事情に鑑みて、防鳥具取付装置として、基本部品を複数種の防鳥手段に共用でき、もって部品共通化による部材製造コストの低減を図り得ると共に、施工操作も容易になって施工に要する時間及び労力とコストを低減できるものを提供することを目的としている。
【課題を解決するための手段】
【０００６】
上記目的を達成するために、本発明の請求項１に係る防鳥具取付装置は、図面の参照符号を付して示せば、取付基体Ｍに接着又はねじ止めする略板状の硬質合成樹脂成型物からなる取付チップ１に、鳥留まり防止ピン２を起立状態に保持させるピン保持部（ピン挿通孔１１）と、防鳥ネット３の掛止フック具４を係着させるフック係着部（差込みゲート１２）とが一体形成されてなる構成としている。
【０００７】
請求項２の発明は、上記請求項１の防鳥具取付装置において、取付チップ１の複数個が平面的にジグザグ状に連結一体化すると共に、各連結部分が断裂用薄肉部１３をなす構成としている。
【０００８】
請求項３の発明は、上記請求項２の防鳥具取付装置において、取付チップ１が平面視で方形をなし、隣接する取付チップ１，１同士が全幅の４０〜６０％で連結してなる構成としている。
【０００９】
請求項４の発明は、上記請求項１〜３の何れかの防鳥具取付装置において、鳥留まり防止ピン２が略Ｖ字形に折曲した金属線材からなり、前記ピン保持部が該金属線材の二股になった両ピン部２ａ，２ｂを下面側から挿通させて略Ｖ字形の起立状態に保持する一対のピン挿通孔１１，１１にて構成されてなるものとしている。
【００１０】
請求項５の発明は、上記請求項１〜４の何れかの防鳥具取付装置において、掛止フック具４が一端側に掛止爪４１を設けた略Ｕ字形の弾性材からなり、フック係着部が該掛止フック具４の差込みゲート１２を形成しており、掛止フック具４のＵ字形の曲がり部４０に防鳥ネット３の線部３ａを通し、該掛止フック具４の両側片４ａ，４ｂを強制的に近接させた状態で、差込みゲート１２に当該掛止フック具４を両先端側から差し込み、その掛止爪４１を差込みゲート１２の出口側縁部（上縁部１２ａ）に掛止するように構成されてなる。
【００１１】
請求項６の発明は、上記請求項１〜５の何れかの防鳥具取付装置において、取付チップ１に、表裏方向に貫通する複数の貫通穴１４…（ねじ止め穴１５）が設けられてなる構成としている。
【００１２】
請求項７の発明は、上記請求項１〜６の何れかの防鳥具取付装置において、取付チップ１の裏面の少なくとも一部に両面接着テープＴが貼着されてなる構成としている。
【００１３】
請求項８の発明は、上記請求項１〜６の何れかの防鳥具取付装置において、取付チップ１に、電撃配線用の碍子部材５を保持させる碍子保持部（スライド嵌合部１７）が一体形成されてなる構成としている。
【００１４】
請求項９の発明は、上記請求項７の防鳥具取付装置において、碍子部材５が複数本の電撃線６に対応する電撃線挿通孔５１ａ〜５１ｃを備えた硬質合成樹脂成型物からなり、取付チップ１の碍子保持部が該碍子部材５の両側面部５ａ，５ａに対して摺動可能に凹凸係合する両側一対のスライド嵌合部１７，１７にて構成されるものとしている。
【００１５】
請求項１０の発明は、碍子部材５が、平面視で長細い形状を備え、その長手方向とこれに直交する方向との二方向に沿う各複数本の電撃線６に対応した電撃線挿通孔５１ａ〜５１ｃを備える構成としている。
【発明の効果】
【００１６】
請求項１の発明に係る防鳥具取付装置によれば、鳥が留まり易い部位や営巣し易い部位にピンを剣山状に設置して鳥を留まれなくする方法と、建物やベランダ等の開口部にネットを張って内側への鳥の侵入を防止する方法との２種の防鳥手段に対し、取付チップを前者におけるピンの起立状態での保持と後者におけるネットのフック部材を介した掛止とに共用できるから、部品共通化による部材製造コストの低減を図り得ると共に、両防鳥手段において建物等の取付基体に対して基になる取付部分が該取付チップにて共通化し、それだけ施工操作も容易になり、施工に要する時間及び労力とコストを低減できる。
【００１７】
請求項２の発明によれば、上記取付チップの複数個が平面的にジグザグ状に連結一体化しているから、建造物の梁部、屋上やベランダの堰壁頂部、手摺りの笠木等の鳥が留まり易い細長い部位に沿ってピンを連続した剣山状に設置する場合に、取付チップが連結したままで用いることにより、長尺区間の施工を一挙に容易に行える上、その各連結部分が断裂用薄肉部として簡単に切離し可能であるから、施工部の長さに応じてジグザグ状の連結体の端位置を適当に設定できると共に、取付基体の複雑な部分や狭い部分に対しては個別あるいは数個単位に切り離した状態で取り付けることができる。また、防鳥ネットの取り付けに用いる場合は、当然に連結状態から個別に切り離して取り付けるが、その施工前には連結状態で取扱い容易となる。
【００１８】
請求項３の発明によれば、上記のジグザグ状に連結一体化した取付チップが平面視方形で全幅の４０〜６０％で連結しているから、その連結部分を手操作で折るだけで簡単に切り離しできる。
【００１９】
請求項４の発明によれば、取付チップに鳥留まり防止ピンを下面側から挿通させるだけで簡単に保持させることができる上、保持させた鳥留まり防止ピンが略Ｖ字形の起立状態で、鳥を留まりにくくするのに非常に有効な空間配置になる。
【００２０】
請求項５の発明によれば、防鳥ネットを張設する際、略Ｕ字形の掛止フック具の曲がり部に該防鳥ネットの線部を通した状態で、この掛止フック具を両先端側から取付チップのフック係着部をなす差込みゲートに差し込むだけで、容易に且つ確実に当該防鳥ネットを止着できる。
【００２１】
請求項６の発明によれば、取付チップが表裏方向に貫通する複数の貫通穴を備えるから、取付基体に対して当該取付チップを接着剤によって固着する際、接着剤が貫通穴に入り込んで固化し、そのアンカー作用で当該取付チップの固着強度が格段に増大する。
【００２２】
請求項７の発明に係る防鳥具取付装置によれば、取付チップは、裏面の両面接着テープを介して取付基体に仮着できるから、この仮着状態においてねじ止めや液状接着剤等による本固着の操作を容易に行える。
【００２３】
請求項８の発明に係る防鳥具取付装置によれば、取付チップに電撃配線用の碍子部材を保持させることができるから、鳥が留まり易い部位や営巣し易い部位にピンを剣山状に設置して鳥を留まれなくする方法と、建物やベランダ等の開口部にネットを張って内側への鳥の侵入を防止する方法に加え、電撃配線による電気ショックで鳥が留まるのを防止する方法においても、その電撃配線のベースとして当該取付チップを利用できる。
【００２４】
請求項９の発明によれば、取付チップに対して碍子部材をスライド操作によって簡単に着脱できる。
【００２５】
請求項１０の発明によれば、平面視で長細い形状の碍子部材に、その長手方向とこれに直交する方向に沿う各複数本の電撃線に対応する電撃線挿通孔を有するから、取付チップに保持させる当該碍子部材の向きを縦横に選択することにより、周辺状況に応じて電撃配線幅を広狭いずれかに設定できる。
【発明を実施するための最良の形態】
【００２６】
以下、本発明に係る防鳥具取付装置の実施形態について、図面を参照して具体的に説明する。なお、この実施形態の防鳥具取付装置は、剣山状の防鳥具、防鳥ネット、防鳥用電撃配線の３種の防鳥手段のいずれにも適用可能な構成になっている。
【００２７】
図１及び図２（Ａ）（Ｂ）は、防鳥具取付装置の取付チップ１を示す。この取付チップ１は、全体が硬質合成樹脂成形物からなり、平面視正方形の板状ベース部１０の上面中央に、フック係着部を構成する下向きコ字枠状の差込みゲート１２が突設され、該板状ベース部１０が差込みゲート１２の前後両側で膨出部１０ａ，１０ａによって厚肉化すると共に、この前後の膨出部１０ａ，１０ａに、ピン保持部を構成する一対のピン挿通孔１１，１１が上下方向に貫設され、また該板状ベース部１０の上面左右両側に、碍子保持部を構成する一対のスライド嵌合部１７，１７が立ち上げ形成されている。
【００２８】
しかして、ピン保持部の各ピン挿通孔１１は、板状ベース部１０の上面側では前後方向に沿う長孔として開口すると共に、同下面側では丸孔として開口しており、図２（Ａ）に示すように、差込みゲート１２側の内側面部が垂直で、反対側の内側面部が傾斜した形になっている。また、差込みゲート１２の出口側となる後端側の上縁部１２ａが後方へ突出している。
【００２９】
一方、碍子保持部の各スライド嵌合部１７は、前後方向に沿う垂直壁部１７ａの前後両側部に、上端から内向きに突出する係合片１７ｂ，１７ｂを一体形成したものであり、その垂直壁部１７ａには前後両端面から斜め上向きに凹入するネット仮止め用溝１６，１６が設けられている。
【００３０】
更に、板状ベース部１０には、各係合片１７ｂの下方位置と差込みゲート１２の下方位置との計５カ所に、前後方向に長い略矩形の貫通穴１４…が設けられると共に、図２（Ｂ）に示すように、差込みゲート１２と左右の垂直壁部１７ａ，１７ａとの間に、円形で上方へ拡径したねじ止め穴１５，１５が開設されている。そして、板状ベース部１０の左右側縁は、上半部１３ａを傾斜面として厚みを約半分に減じている。
【００３１】
なお、取付チップ１の通常のサイズは、板状ベース部１０の一辺が２０〜５０ｍｍ程度、該板状ベース部１０の膨出部１０ａ以外の厚みが１〜３ｍｍ程度、差込みゲート１２及びスライド嵌合部１７の板状ベース部１０下面からの高さが５〜１０ｍｍ程度、にそれぞれ設定される。
【００３２】
このような取付チップ１を防鳥部位の取付基体に止着するには、図３（Ａ）に示すように木製の取付基体Ｍ１に対し、ねじ止め穴１５，１５を利用して木ねじＮによってねじ止めするか、もしくは図３（Ｂ）に示すように各種材質の取付基体Ｍ２に対し、例えばエポキシ系接着剤の如き主剤と硬化剤とからなる二液性ボンド等の接着剤Ｓによって接着固定すればよい。後者の接着固定では、接着剤Ｓが貫通穴１４…及びねじ止め穴１５，１５に入り込んで固化することでアンカー作用を発揮するから、当該取付チップ１は固着強度が格段に増大して剥落しにくくなる。
【００３３】
また、止着用の好適な態様として、予め取付チップ１の裏面の少なくとも一部に剥離紙付きの両面接着テープを貼着した構成が推奨される。例えば図３（Ｃ）に示す構成では、取付チップ１の前後両側の膨出部１０ａ，１０ａの下面位置に両面接着テープＴが貼着されており、その剥離紙（図示省略）を剥離した上で、当該取付チップ１を両面接着テープＴ，Ｔの粘着力を利用して取付基体Ｍ２に仮着し、この仮着状態で貫通穴１４…に既述二液性ボンド等の接着剤Ｓを充填して本固着するようにしている。なお、木製の取付基体Ｍ１に対しては、やはり両面接着テープＴ，Ｔを利用した同様の仮着状態にした上で、図３（Ａ）の如くねじ止め穴１５，１５を利用して木ねじＮでねじ止めしてもよい。このように両面接着テープＴ，Ｔで仮着することにより、液状の接着剤Ｓや木ねじＮによる本固着作業時に取付チップ１が不用意に落下するのを防止できるから、その本固着操作が非常に容易になる。しかして、両面接着テープＴは取付チップ１の貫通穴１４…部分を除く裏面全体に設けてもよい。
【００３４】
本発明における防鳥具取付装置では、取付チップ１は、射出成型等により、図４（Ａ）（Ｂ）に示すように、その複数個（一般的には１０個前後）が平面的にジグザグ状に連結一体化した連結体Ｒとして供給することが推奨される。この連結体Ｒでは、隣接する取付チップ１，１の各左右側縁が上半部１３ａを傾斜面として厚みを約半分に減じているから、各連結部分が上面側がＶ字溝となった断裂用薄肉部１３を構成しており、各断裂用薄肉部１３を手操作で山折りすることで簡単に切り離し可能である。なお、図では連結体Ｒの隣接する取付チップ１，１同士が左右側縁の全幅の略１／２幅で連結しているが、その連結部分を手操作で折るだけで簡単に切離し可能とする上で、連結幅を全幅の４０〜６０％の範囲に設定することが好ましい。
【００３５】
上記構成の防鳥具取付装置を剣山状の防鳥具に適用する場合、防鳥施工部が梁や手摺り笠木、堰壁頂部等の細長い領域であれば、図５に示すように、複数個の取付チップ１…が連結一体化した前記連結体Ｒの状態で用い、その各取付チップ１に起立角度の大きいピン部なす、鳥留まり防止ピン２を略Ｖ字形の起立状態に保持させて、既述したねじ止め又は接着により、その全体を取付基体Ｍの上面に固定すればよい。これにより、長尺区間の防鳥施工を一挙に容易に行えると共に、連結体Ｒは取付チップ１単位で切り離しできるから、必要な防鳥施工部の長さに応じて該連結体Ｒの端位置を適当に設定できる。
【００３６】
上記の鳥留まり防止ピン２は、略Ｖ字形に折曲した金属線材からなり、二股になった両ピン部２ａ，２b を材料弾性を利用して接近させた状態で、取付チップ１のピン挿通孔１１，１１に下面側から挿入し、根元まで差込むことによって元のＶ字形で起立した状態に保持される。しかして、この留まり防止ピン２として両ピン部２ａ，２b の傾きが異なるものを用い、その起立角度の大きいピン部２ａが取付チップ１…のジグザグ配置の内側に位置させれば、図６に示すように、隣接する二つの取付チップ１，１による計４本のピン部２ａ，２ａ，２b ，２b が略均等な角度で放射状に突出した形になるから、取付基体Ｍの上面側に鳥が留まる余裕をなくすのに効果的である。
【００３７】
なお、取付チップ１は既述のように連結体Ｒから容易に切り離しできるから、取付基体Ｍの狭い部位や構造的に複雑な部位に対しては、単独の取付チップ１あるいは数個程度が連結した状態の取付チップ１に鳥留まり防止ピン２を装着して用いればよい。また、鳥が巣作りしそうな広めの部位に対しては、鳥留まり防止ピン２…を装着した連結体Ｒの複数本を適当間隔で並列させて営巣空間をなくすようにすればよい。しかして、このような剣山状の防鳥施工を適用する部位は、水平部に限らず、屋根の支え杆等、鳥が留まり得る傾斜部や曲面部も対象となる。
【００３８】
一方、この防鳥具取付装置を防鳥ネットの取り付けに適用する場合、図７に示すような掛止フック具４を用いる。この掛止フック具４は、金属帯板を略Ｕ字状に曲げ加工したものであり、その一側片４ａの先端に外向きの折り返しによる掛止爪４１が形成され、他側片４ｂの先端側が内向きに曲がった挿入ガイド部４２を構成すると共に、その先端部に設けた束ね用の紐等を通すための丸穴４３が設けてある。
【００３９】
防鳥ネットの取り付けを行うには、図８に示すように、鳥の侵入を阻止すべき開口部周囲の取付基体Ｍの要所に、予め取付チップ１…を既述のねじ止めや接着によって固着しておき、張設すべき防鳥ネット３の各取付チップ１に対応する位置の線部３ａに掛止フック具４を係嵌させ、該掛止フック具４を取付チップ１の差込みゲート１２に挿嵌して掛止させればよい。なお、取付チップ１は当然に連結状態から個別に切り離して取り付けるが、その施工前には連結状態で取扱い容易となる。
【００４０】
この掛止フック具４の挿嵌操作においては、そのＵ字形の曲がり部４０に防鳥ネット３の線部３ａを通しておき、図９の仮想線で示すように、金属の材料弾性を利用して両側片４ａ，４ｂを強制的に近接させた状態で、側片４ｂ側を下にして両先端側から取付チップ１の差込みゲート１２に差し込めば、該側片４ｂの内向きに曲がった挿入ガイド部４２のテーパー誘導により、両先端側が取付チップ１の板状ベース部１０に突き当たることなく差込みゲート１２を越えて外側へ出ると共に、近接していた両側片４ａ，４ｂが弾性復元力によって開く。従って、この挿嵌状態から該掛止フック具４を少し引き戻すことにより、同図の実線で示すように、上側になった側片４ａの掛止爪４１が差込みゲート１２の出口側の上縁部１２ａに掛合し、もって該掛止フック具４が取付チップ１に抜出不能に掛止される。
【００４１】
なお、この防鳥具取付装置では、防鳥ネット３の張設に際し、取付チップ１…を利用した仮止めにより、該防鳥ネット３の張設状態を調整することが可能である。すなわち、取付チップ１は左右のスライド嵌合部１７，１７の前後両端にネット仮止め用溝１６，１６を備えており、図１０に示すように、これらネット仮止め用溝１６…に防鳥ネット３の線部３ａを挿嵌することにより、予め取付基体Ｍの要所に固着した取付チップ１…に防鳥ネット３を直接に仮着できるから、この仮止めによって防鳥ネット３の張設状態が適正になるように調整した上で、図１１に示すように、各取付チップ１の左右のネット仮止め用溝１６，１６間にわたる防鳥ネット３の線部３ａに、外側から掛止フック具４を嵌合し、この掛止フック具４を取付チップ１の差込みゲート１２に差し込むことにより、該防鳥ネット３を適正な張設状態で掛止固定できる。
【００４２】
更に、この防鳥具取付装置を防鳥用電撃配線に適用する場合、図１２（Ａ）〜（Ｃ）に示すような碍子部材５を用いる。この碍子部材５は、側面視が略６０°楕円を短軸に沿って半割した形で、底面外形が略２５°楕円をなし、底面側に開放した硬質合成樹脂中空成形物からなり、左右両側面で大小の二等辺三角形の各頂点をなすように配置した外側及び内側各３つの電撃線挿通孔５１ａ，５１ｂが左右方向に貫通し、前後方向にも上下２つの電撃線挿通孔５１ｃが貫通している。そして、この碍子部材５には、図１３の如く取付チップ１に嵌着させるために、左右両側面の下部に前後方向に沿うスライドガイド溝５２，５２が形成されると共に、前端下部に中空内部５０へ連通して下方に開く矩形開口部５３が設けられ、また後部の下方突出によって前方に臨むストッパー段部５４が形成されている。
【００４３】
すなわち、各碍子部材５は、図１４（Ａ）（Ｂ）に示すように、電撃配線を施す取付基体Ｍの要所に予め止着した取付チップ１に対し、そのスライド嵌合部１７、１７の間に下部が入り込むように前方側からスライド嵌合操作する。これにより、取付チップ１のスライド嵌合部１７、１７の係合片１７ｂ，１７ｂが碍子部材５の両スライドガイド溝５３，５３に嵌入し、碍子部材５のストッパー段部５４が該取付チップ１の板状ベース部１０の端縁に当接することで、碍子部材５はより以上の前方移動が不能な位置決め嵌着状態となる。なお、取付チップ１の中央部で突出する差込みゲート１２は、碍子部材５に干渉せずに矩形開口部５３から図１４（Ｂ）の如く中空内部５０へ入り込むので、スライド嵌合操作の支障にならない。
【００４４】
このような碍子部材５と取付チップ１を用いた電撃配線は、碍子部材５…に通した裸導線である電撃線６に通電し、これに留まろうとした鳥に軽い電気ショックを与えて嫌忌効果を得るものである。しかして、図１３及び図１４では碍子部材５の左右両側面における小さい二等辺三角形の各頂点をなす内側３つの電撃線挿通孔５１ｂに電撃線６を挿通した状態を例示しているが、この碍子部材５によれば３通りの配線パターンを選択できる。すなわち、ハトやカラス等の大型鳥類を対象とする場合は大きい二等辺三角形の各頂点をなす外側３つの各電撃線挿通孔５１ａを通した相互間隔の大きい３本配線パターンとし、小型鳥類を対象とする場合は図示した相互間隔の小さい３本配線パターンとすればよい。また周辺状況等から三角形配置の３本配線パターンとする空間的余裕がない場合は、図１４の仮想線で示すように、前後方向に沿う上下２つの電撃線挿通孔５１ｃを利用した上下２本の配線パターンを採用できる。なお、電撃線６は、鳥を感電させる上で少なくとも１本をアース線として複数本を必要とする。また、図１４の仮想線で示す上下２本の配線パターンでは、三角形配置の３本配線パターンとは碍子部材５の向きが９０度異なるから、これに対応して予め取付基体Ｍに止着する取付チップ１の向きも変わることになる。
【００４５】
上記実施形態の防鳥具取付装置では、３種の異質な防鳥手段つまり、鳥が留まり易い部位や営巣し易い部位にピンを剣山状に設置して鳥を留まれなくする方法と、建物やベランダ等の開口部にネットを張って内側への鳥の侵入を防止する方法と、電撃配線による電気ショックで鳥が留まるのを防止する方法と、のいずれの防鳥手段に対しても同じ取付チップ１…を共用できるから、これら３種全部の防鳥手段を取り扱う上で部材コストが大幅に低減され、装置器材の取扱い点数が少なくなって手間も軽減される上、施工現場の状況によって複数種の防鳥手段を併用したり防鳥手段を変更する場合に即応でき、またいずれの防鳥手段でも施工ベースとして取付基体Ｍに取付チップ１を止着するから、施工作業が平準化して操作容易になると共に、それだけ施工操作も習熟し易くなる。
【００４６】
なお、上記実施形態では３種の防鳥手段に適用するものを例示したが、本発明の防鳥具取付装置は剣山状の防鳥具と防鳥ネットの２種の防鳥手段に適用するものも包含する。しかして、本発明においては、剣山状の防鳥具に用いる鳥留まり防止ピンの各取付チップにおける保持位置、保持姿勢、保持構造、保持本数、防鳥ネットの取り付けに用いる掛止フックの形態、材質、取付チップにおける該掛止フックの掛止構造、掛止位置、取付チップの板状ベース部における貫通穴の数、穴形状、形成位置等、細部構成については実施例以外に種々設計変更可能である。また、電撃配線用の碍子部材と取付チップとのスライド嵌合部は、その凹凸関係が実施形態とは逆であってもよい。更に、碍子部材における全体形状、電撃線挿通孔の数と配置についても、例示以外に種々設定可能である。
【図面の簡単な説明】
【００４７】
【図１】本発明の一実施形態に係る防鳥具取付装置の取付チップの斜視図である。
【図２】同取付チップの縦断面を示し、（Ａ）は図１のＡ−Ａ線の断面矢視図、（Ｂ）は図１のＢ−Ｂ線の断面矢視図である。
【図３】同取付チップの取付基体に対する固着状態を示し、（Ａ）はねじ止めによる固着状態の縦断正面図、（Ｂ）は接着による固着状態の縦断正面図、（Ｃ）は両面接着テープと液状の接着剤による固着状態の縦断側面図である。
【図４】同取付チップの連結体を示し、（Ａ）は平面図、（Ｂ）は正面図である。
【図５】同防鳥具取付装置による剣山状の防鳥具の取付状態を示す斜視図である。
【図６】同剣山状の防鳥具の取付状態を示す縦断側面図である。
【図７】同防鳥具取付装置による防鳥ネットの取り付けに使用する掛止フック具の斜視図である。
【図８】同防鳥具取付装置による防鳥ネットの取付状態を示す斜視図である。
【図９】同防鳥ネットの取付状態を示す縦断側面図である。
【図１０】同防鳥具取付装置を利用した防鳥ネットの仮止め状態を示す縦断側面図である。
【図１１】同防鳥ネットの仮止め状態を示す正面図である。
【図１２】同防鳥具取付装置による防鳥用電撃配線に使用する碍子部材を示し、（Ａ）は側面図、（Ｂ）は正面図、（Ｃ）は縦断正面図である。
【図１３】同防鳥具取付装置を利用した電撃配線例を示す斜視図である。
【図１４】同電撃配線例における碍子部材の取付部分を示し、（Ａ）は縦断側面図、（Ｂ）は縦断正面図である。
【符号の説明】
【００４８】
１          取付チップ
１０        板状ベース部
１１        ピン挿通孔（ピン保持部）
１２        差込みゲート（フック係着部）
１２ａ      上縁部（出口側縁部）
１３        断裂用薄肉部
１４        貫通穴
１５        ねじ止め穴（貫通穴）
１７        スライド嵌合部（碍子保持部）
２          鳥留まり防止ピン
２ａ，２ｂ  ピン部
３          防鳥ネット
３ａ        線部
４          掛止フック具
４０        曲がり部
４１        掛止爪
５          碍子部材
５１ａ      電撃線挿通孔
５１ｂ      電撃線挿通孔
５１ｃ      電撃線挿通孔
６          電撃線
Ｍ          取付基体
Ｍ１，Ｍ２  取付基体
Ｒ          連結体
Ｓ          接着剤
Ｔ          両面接着テープ
【図１】
2008067620.tif 000003
【図２】
2008067620.tif 000004
【図３】
2008067620.tif 000005
【図４】
2008067620.tif 000006
【図５】
2008067620.tif 000007
【図６】
2008067620.tif 000008
【図７】
2008067620.tif 000009
【図８】
2008067620.tif 000010
【図９】
2008067620.tif 000011
【図１０】
2008067620.tif 000012
【図１１】
2008067620.tif 000013
【図１２】
2008067620.tif 000014
【図１３】
2008067620.tif 000015
【図１４】
2008067620.tif 000016